(57)【要約】【課題】鋼管杭などの鋼材を継ぎ足す際の溶接において、鋼材に変質などの影響を残すことがなく、鋼材接合部の目違いを簡単に解消でき、また、鋼材の溶接を効率的に行うことができる溶接方法を提供する。【解決手段】本発明の適用事例では、例えば、次の（ａ）−（ｄ）の工程を経て、上下の鋼管類１１，１２を縦継ぎ溶接する。（ａ）上側鋼管類１１と下側鋼管類１２の接合部予定部位を巻込む位置に、バンド状の鋼材溶接用治具１を緩めに取付ける（仮締め工程）。（ｂ）上下の鋼管類１１，１２の端部を突き合せた状態で、鋼材溶接用治具１のバンド状本体２を強く締め込む（本締め工程）。これにより上下鋼管類の目違いが解消される。（ｃ）鋼材溶接用治具１のバンド状本体２の開口部７を介して、上下の鋼管類１１，１２の接合部を仮溶接する（仮溶接工程）。（ｄ）鋼材溶接用治具１を取り外した状態で、上下の鋼管類１１，１２の接合部を本溶接する（本溶接工程）。【選択図】図３Ｅ
2018164944.tif 000002
【特許請求の範囲】
【請求項１】
第一の鋼材と第二の鋼材の接合部を巻込む位置に鋼材溶接用治具を取付ける工程と、
前記溶接用治具のバンド状本体の開口部を介して、前記接合部を仮溶接する工程と、
前記溶接用治具を直接的又は間接的な位置決め手段として利用し、溶接装置用のガイドレールを鋼材の所定位置に取り付ける工程と、
前記ガイドレールに沿って移動可能に設けられた溶接装置を利用して、前記接合部を本溶接する工程と、
を含むことを特徴とする鋼材の溶接方法。
【請求項２】
第一の鋼材と第二の鋼材の接合部を巻込む位置に鋼材溶接用治具を取付ける工程と、
前記溶接用治具のバンド状本体の開口部を介して、前記接合部を仮溶接する工程と、
前記溶接用治具を利用して、位置決め部材を鋼材の所定位置に取り付ける工程と、
前記位置決め部材を利用して、溶接装置用のガイドレールを鋼材の所定位置に取り付ける工程と、
前記ガイドレールに沿って移動可能に設けられた溶接装置を利用して、前記接合部を本溶接する工程と、
を含むことを特徴とする鋼材の溶接方法。
【請求項３】
請求項１又は２に記載の鋼材溶接用治具であって、
第一の鋼材と第二の鋼材の接合部を巻込むように取付けられる略バンド状の本体と、
前記バンド状本体を締め込むための締め込み手段と、
前記接合部を臨むように前記バンド状本体に形成された溶接用の開口部と、
を有する、鋼材の溶接用治具。
【請求項４】
前記バンド状本体の内周面側には、ルート間隔を確保するための突出部が設けられている、ことを特徴とする請求項３に記載の溶接用治具。
【請求項５】
第一の鋼材と第二の鋼材の接合部を巻込む位置に鋼材溶接用治具を取付ける工程と、
前記溶接用治具のバンド状本体の開口部を介して、前記接合部を仮溶接する工程と、
前記溶接用治具を取り外した状態で、ガイドレールに沿って移動可能に設けられた溶接装置を利用して、前記接合部を本溶接する工程と、
を含むことを特徴とする鋼材の溶接方法。
【発明の詳細な説明】
【技術分野】
【０００１】
本発明は、鋼管杭、鋼管矢板、ケーシングパイプ、Ｈ形鋼、丸鋼といった各種鋼材を継ぎ足す際の溶接に用いる溶接用治具（位置決め装置）と、この治具を用いた鋼材の溶接方法に関するものである。
【背景技術】
【０００２】
鋼管杭、鋼管矢板、ケーシングパイプなどの鋼材の建込み工事や打設工事、埋設工事などでは、それらを構成する単材を現場に複数用意し、順次、溶接により縦継ぎしながら施工を進めている。
【０００３】
例えば、鋼管杭の縦継ぎ溶接の際には、上杭と下杭と突き合せた状態で、その突き合せ部位（継ぎ目）を円周溶接する。その際、従来では目違い（上杭と下杭の端面のずれ）を解消するため、エレクションピース等と称されるガイドプレートを、あらかじめ鋼管杭（主に下杭）の端側外周面に等間隔に溶接しておき、その溶接式のガイドによって上杭と下杭の位置合わせを行いつつ両者の端面を突き合せ、その状態で、上杭と下杭の突き合わせ部位を円周溶接している。
【０００４】
しかしながら、上記のように、エレクションピースなどのガイドプレートを鋼管杭（主に下杭）に溶接すると、プレートの溶接跡が残ったり、また、溶接・ガス切断の際の熱の影響を受け、鋼管接合部において鋼管杭の材質が変質するなどの問題が生じていた。
【０００５】
また、エレクションピースなどのガイドプレートの溶接やガス切断には、手間と時間がかかるため、縦継ぎ溶接の省力化と時間短縮を図れる新たな手段が望まれていた。
【０００６】
また、従来の円周溶接方法では、上杭・下杭の端面を相互に直接的に突き当てた状態で円周溶接していたため、溶接の際に適切なルート間隔（ルートギャップ）を確保することができないといった問題が生じていた。
【発明の概要】
【発明が解決しようとする課題】
【０００７】
上述した従来技術の問題点に鑑み、本発明の目的は、鋼管杭、鋼管矢板、ケーシングパイプ、Ｈ形鋼、丸鋼などの各種鋼材を継ぎ足す際の溶接において、鋼材に変質などの影響を残すことなく、鋼材接合部の目違いを簡単に解消でき、また、鋼材どうしの溶接を効率的に進めることができる溶接用治具（位置決め装置）とこれを用いた溶接方法を提供することにある。
【課題を解決するための手段】
【０００８】
上記目的は、
第一の鋼材と第二の鋼材の接合部（これから接合する部分）を巻き込むように取付けられる略バンド状の本体と、
前記バンド状本体を締め込むための締め込み手段と、
前記接合部を臨むように前記バンド状本体に形成された溶接用の開口部と、
を有する、鋼材の溶接用治具によって達成される。
【０００９】
前記バンド状本体の内周面側には、ルート間隔を確保するための突出部が設けられていることが好ましい。
【００１０】
また上記目的は、
第一の鋼材と第二の鋼材の接合部（接合予定部位）を巻込む位置に鋼材溶接用治具を取付ける工程と、
前記溶接用治具の前記バンド状本体を締め込む工程と、
前記溶接用治具のバンド状本体の開口部を介して、前記接合部を仮溶接する工程と、
前記鋼材溶接用治具を取り外した状態で前記接合部を本溶接する工程と、
を含むことを特徴とする鋼材の溶接方法によって達成される。
【００１１】
また上記目的は、
第一の鋼材と第二の鋼材の接合部を巻込む位置に鋼材溶接用治具を取付ける工程と、
前記溶接用治具のバンド状本体を締め込む工程と、
前記バンド状本体の開口部を介して前記接合部を仮溶接する工程と、
前記溶接用治具を直接的又は間接的な位置決め手段として利用し、溶接装置用のガイドレールを鋼材の所定位置に取り付ける工程と、
前記ガイドレールに沿って移動可能に設けられた溶接装置を利用して、前記接合部を本溶接する工程と、
を含む鋼材の溶接方法によって達成される。
【００１２】
また上記目的は、
第一の鋼材と第二の鋼材の接合部（接合予定部位）を巻込む位置に鋼材溶接用治具を取付ける工程と、
前記溶接用治具のバンド状本体を締め込む工程と、
前記バンド状本体の開口部を介して前記接合部を仮溶接する工程と、
前記溶接用治具を利用して、位置決め部材を鋼材の所定位置に取り付ける工程と、
前記位置決め部材を利用して、溶接装置用のガイドレールを鋼材の所定位置に取り付ける工程と、
前記ガイドレールに沿って移動可能に設けられた溶接装置を利用して、前記接合部を本溶接する工程と、
を含む鋼材の溶接方法によって達成される。
【発明の効果】
【００１３】
本発明の溶接用治具は、第一鋼材と第二鋼材の接合部（接合予定部位）を巻き込むように取付けられる略バンド状の本体と、前記バンド状本体を締め込むための締め込み手段と、前記接合部を臨むように前記バンド状本体に形成された溶接用の開口部と、を有する。
鋼材を継ぎ足すための溶接の際にこのような溶接用治具を利用すれば、エレクションピースなどのガイドプレートを鋼材の端部外周面に溶接する必要が無くなるので、従来問題となっていた（溶接時の熱に起因する）鋼材の変質を招くことがない。
また、本発明の溶接用治具は、その使用に際して鋼材への溶着を必要としないので、取り付け・取り外しが簡単である。したがって、鋼材どうしを溶接するための作業が省力化され、また、その作業の時間短縮を図ることができる。
また、本発明の溶接用治具には、継ぎ足す鋼材の接合部（接合予定部位）を臨むように溶接用開口部（窓）が形成されている。この開口部の範囲では、鋼材どうしの接合部（つまり鋼材端面の対向部位の外縁）が露出している。したがって、バンド状本体を鋼材接合部に巻き付けたままでも、当該接合部外周を仮付け溶接することができる。
【００１４】
また、本発明の溶接用治具において、バンド状本体の内周面側には、溶接開先部に嵌合してルート間隔を確保する突出部が設けられている。この突出部は、接合部に食い込んで、向かい合う鋼材の端面の間に、所定の設計サイズの隙間を確保する。したがって、溶接の際に適切なルート間隔（ルートギャップ）を確保できるようになるので、鋼材の溶接品質を従来よりも向上させることが可能になる。
【００１５】
また、本発明の溶接方法では、下記の（ａ）−（ｄ）の工程を経て、継ぎ足す鋼材を円周溶接する。
（ａ）第一の鋼材と第二の鋼材の接合予定部位を巻込む位置に、略バンド状の鋼材溶接用治具を仮付的に（緩めに）取付ける工程（仮締め工程）。
（ｂ）第一および第二の鋼材の端部を突き合せた状態で、前記鋼材溶接用治具のバンド状本体を強く締め込む工程（本締め工程）。
（ｃ）鋼材溶接用治具のバンド状本体の開口部を介して、第一および第二の鋼材の接合部を仮溶接する工程（仮溶接工程）。
（ｄ）鋼材溶接用治具を取り外した状態で、第一および第二の鋼材の接合部を本溶接する工程（本溶接工程）。
【００１６】
上記の方法で用いるバンド状本体は、第一および第二の鋼材の接合部（継ぎ目）を跨ぐように、且つ、接合部を包囲して取り囲むように取り付けられる。そしてこの状態でバンド状本体を「鋼材の接合部を締め付ける」方向に締め込むことで、強制的に第一および第二の鋼材の端面の位置合わせ（位置決め）が行われ、鋼材接合部の目違い（継ぎ目のずれ）を解消できる。また、目違いが解消された同心位置に第一および第二の鋼材を確りと固定できる。
しかも、このような目違い解消や位置合わせのために、エレクションピースなどのガイドプレートを溶接する必要が無いので、従来必要だった溶接の手間が省けるとともに、鋼材に（溶接時の熱に起因する）変質を招くことがない。また、従来より短時間で溶接を完了することができる。
また、バンド状本体により第一および第二の鋼材を確りと固定し、その状態で接合部を仮溶接するので、仮溶接およびその後の本溶接の際に、第一および第二の鋼材に目違いが生じることが無い。
【００１７】
また本発明では、第一および第二の鋼材の一方の外周面にガイドレールを取り付けて、このガイドレールに沿って移動する溶接装置により、鋼材接合部を本溶接する。この方法で利用するガイドレールは、溶接用治具を直接的又は間接的な位置決め手段として利用して、ガイドレールを鋼材に取り付けるようになっている。ここでいう「溶接用治具を『直接的』な位置決め手段として利用」する場合とは、例えば、溶接用治具に隣接するように（つまり溶接用治具が直接的な位置決め部材となって）ガイドレールを所定位置に取り付けることをいう。また、「溶接用治具を『間接的』な位置決め手段として利用」する場合とは、例えばガイドレールと溶接用治具との間にスペーサや位置決め部材など、何らかの別部材が介在するように（この別部材が直接的な位置決め部材となって）、ガイドレールを所定位置に取り付けることをいう。
そして、このような溶接装置用ガイドレールを利用することで、本溶接の作業を自動化することができ、また、施工時間の短縮と省力化を図ることができる。
また、上記のような手順で溶接装置用のガイドレールを取り付けることで、ガイドレールおよび溶接装置を所定位置に簡単かつ正確に位置決めできる。ここでいう「所定位置」とは、設計位置のことであり、例えば、溶接棒の先端部などが接合部（円周溶接部）に確実に点接触するような位置である。
【図面の簡単な説明】
【００１８】
【図１】本発明に係る鋼材溶接用治具の平面図と側面図である。
【図２】図１(a)に示す鋼材溶接用治具を分解した様子を示す平面図である。
【図３Ａ】鋼材（鋼管類）の溶接手順を示す図である。
【図３Ｂ】図３Ａの続きであって、鋼材（鋼管類）の溶接手順を示す図である。
【図３Ｃ】図３Ｂの続きであって、鋼材（鋼管類）の溶接手順を示す図である。
【図３Ｄ】図３Ｃの続きであって、鋼材（鋼管類）の溶接手順を示す図である。
【図３Ｅ】図３Ｄの続きであって、鋼材（鋼管類）の溶接手順を示す図である。
【図３Ｆ】図３Ｅの続きであって、鋼材（鋼管類）の溶接手順を示す図である。
【図４】上側の鋼管類をバンド状本体に挿入している様子を示す断面図である。
【図５】上下の鋼管類を鋼材溶接用治具で固定した様子を示す断面図である。
【図６】鋼材溶接用治具の開口部を介して、上下鋼管類の接合部を仮付け溶接している様子を示す断面図である。
【図７Ａ】鋼材（鋼管類）の溶接手順の他の実施形態を示す図である。
【図７Ｂ】図３Ａの続きであって、鋼材（鋼管類）の溶接手順を示す図である。
【図７Ｃ】図３Ｂの続きであって、鋼材（鋼管類）の溶接手順を示す図である。
【図７Ｄ】図３Ｃの続きであって、鋼材（鋼管類）の溶接手順を示す図である。
【図７Ｅ】図３Ｄの続きであって、鋼材（鋼管類）の溶接手順を示す図である。
【図７Ｆ】図３Ｅの続きであって、鋼材（鋼管類）の溶接手順を示す図である。
【図７Ｇ】図３Ｆの続きであって、鋼材（鋼管類）の溶接手順を示す図である。
【図７Ｈ】図３Ｇの続きであって、鋼材（鋼管類）の溶接手順を示す図である。
【図７Ｉ】図３Ｈの続きであって、鋼材（鋼管類）の溶接手順を示す図である。
【図８】ガイドレールの取り付け方の他の実施形態を示す図である。
【発明を実施するための形態】
【００１９】
（鋼材溶接用治具の構成）
はじめに、図１及び図２に基づいて、鋼材溶接用治具１の構成について説明する。
以下、鋼材の代表例として、鋼管類または鋼管杭を挙げて、本発明の実施形態について説明する。
【００２０】
鋼材溶接用治具１は、図１に示すように、主として、
縦継ぎする２本の鋼管類の接合部を巻き込むように（すなわち、２つの鋼材の継ぎ目を取り巻くことができるような位置に）取付けられる略バンド状の本体２と、
バンド状本体２を締め込むための締め込み手段をなすボルト４およびナット５と、
鋼管類の接合部（仮付け溶接予定部位）を臨む位置に形成された仮付け溶接用の窓７と、を有している。
【００２１】
バンド状本体２は、図２に示すように、複数体に分割可能に構成されている。本実施形態では、一例として２分割可能な構成を採用している。バンド状本体２を構成する半割れ部材２１，３１は、ボルト４が挿通可能なブラケット（フランジ）２４，３４と、ヒンジの一部を構成するヒンジプレート２６，３６を一体的に具備している。図１に示すように、アイボルト６によって連結されたヒンジプレート２６，３６は、全体としてヒンジ８を構成している。
【００２２】
上記構成のバンド状本体２は、縦継ぎする上下鋼管類の接合部（溶接予定部位）を包囲する位置に取り付けられる。後述する仮付け溶接の際には（図３Ｅ参照）、バンド状本体２の内周面は、下側鋼管類の上端側外周面に密着すると同時に、上側鋼管類の下端側外周面にも密着する。
【００２３】
緊締手段を構成するボルト４とナット５は、このバンド状本体２を「接合部締め付け方向」に締め込む役割を担っている。ナット５に螺合したボルト４を締め込むことで、バンド状本体２の内側が徐々に狭まるので、その動きに応じて、上下鋼管類の外周面が揃うように位置合わせされ、徐々に心ズレが無くなり、最終的に上下の鋼管類端部の目違いが解消される。なお、本実施形態では締め込み手段の一例としてボルトとナットを採用しているが、バンド状本体２を締め込むことが可能な構成であれば、他の手段を採用することも可能である。
【００２４】
バンド状本体２の内周面側には、上下鋼管類の接合箇所の溶接開先部に嵌合する突出部９が設けられている。この突出部９はテーパー面９１を有しており（図４参照）、後述するように、仮付け溶接の際には、このテーパー面９１に上側鋼管類の下端の開先面が乗るようになっている。このような構成の突出部９は、後述するように、溶接開先部に嵌合してルート間隔を確保する役割を担っている（図５，図６参照）。つまり、この突出部９が介在するために、縦継ぎ溶接の際に上下鋼管類の端面は、設計サイズの隙間を隔てて対向することになる。
【００２５】
また、バンド状本体２には、仮付け溶接用の窓７（開口部）が形成されている。本実施形態では、一例として、６つの窓が周方向に等間隔に形成されている。これらの窓７，７…は、それぞれ、上下鋼管類の接合部（継ぎ目）を臨む位置に形成されている。つまり、窓７が形成された範囲では、上下鋼管類の端部の対向部分（仮付け溶接予定部位）が窓から露出している。したがって、仮付け溶接の際に、上下鋼管類の接合部に対して窓７を介して溶接を施すことが可能になる。
【００２６】
本実施形態において、バンド状本体２は、図２に示すように２分割することが可能である。同図に示すように分割した状態から、ヒンジプレート２４，３４をアイボルト６で連結してヒンジを構成すると、バンド状本体２の内径が拡縮するような開閉動作が可能になる。さらに、ブラケット２４，３４にボルト４を通し、ナット５に螺合した状態で該ボルトを締め込むと、バンド状本体２の内側が徐々に狭まって、縦継ぎする鋼管類に対して鋼管類溶接用治具１を確りと固定することができる。
【００２７】
（鋼材溶接用治具を用いた円周溶接方法の第１実施形態）
次に、主として図３Ａ〜図３Ｆに示す手順図に基づいて、鋼管類の円周溶接方法の一例について説明する。なお、以下説明する手順Ａ〜Ｆは、それぞれ、図３Ａ〜図３Ｆに対応している。また、以下の実施形態では、鋼材の代表例として鋼管杭を例示する。
【００２８】
＜手順Ａ＞  裏当てリングの取り付け
図３Ａに示すように、縦継ぎする上下鋼管杭の下杭１２の方に、点付け溶接により裏当てリング１３を取り付ける。裏当てリング１３は、下杭１２の上端側の内周面に内接する径を有している。この裏当てリング１３が、下杭上端から部分的に突き出るように、該リングを下杭上端の内周面に溶接する。
【００２９】
＜手順Ｂ＞  鋼材溶接用治具の取り付け
この工程では、鋼材溶接用治具１を、図３Ｂに示すように下杭１２の上端に取り付ける。鋼材溶接用治具１の取り付けにあたっては、図２に示す分解状態の溶接用治具の半割れ部材２１，３１を、それぞれ、下杭上端側の外周面に宛がい、その状態でアイボルト６をヒンジプレート２６，３６に通して両ヒンジプレートを連結する。
【００３０】
その際、すべての窓７から下杭１２の上端を目視できるような高さ位置に（つまり、窓７から下杭１２の上端外縁部が露出する位置に）、半割れ部材２１，３１を位置決めする。
【００３１】
続いて、半割れ部材２１，３１のブラケット２４，３４にボルト４を通してナット５を螺合させるとともに、ボルト４を軽く締めておく。これにより、鋼材溶接用治具１が、下杭１２の上端に仮固定される（緩めに固定される）。
【００３２】
＜手順Ｃ＞  上杭の挿入
続いて、上記手順で緩めに取り付けた溶接用治具のバンド状本体２に、上杭１１を挿入する。この挿入の過程で、上杭１１は、はじめに図４に示すように外側のバンド状本体２によってガイドされ、さらに下杭１２に接近すると、内側の裏当てリング１３によってもガイドされる。そして、バンド状本体２および裏当てリング１３によるガイドを経て、最終的に、上杭下端の開先面１５が突出部９のテーパー面９１に乗って荷重を預けることになる。
【００３３】
このように本実施形態では、上杭１１をバンド状本体２に挿入して吊り降ろす過程で、この上杭１１がバンド状本体２および裏当てリング１３によってガイドされるので（つまり外側と内側の両側でガイドされるので）、縦継ぎする上下鋼管杭１１，１２の暫定的な位置決めが容易である。
【００３４】
そして上杭１１の挿入を続けると、バンド状本体２および裏当て部材１３によってガイドされた上杭１１は、図５に示すように、突出部９のテーパー面９１に突き当たる。つまり、上下の鋼管杭１１，１２の間に突出部９が介在した状態で、鋼管杭の上端・下端が対向している。また、突出部９が形成されてない部位（つまり窓７によって治具の外部に露出した部位）では、鋼管杭１１，１２の上端・下端は、設計サイズの隙間を隔てて対向している。この隙間は、後述する仮付け溶接においてルート間隔（ルートギャップ）としての役割を担う。
【００３５】
＜手順Ｄ＞  バンド状本体の締め付けによる目違い解消
上述した手順Ｃを終えた段階では、縦継ぎする上下鋼管杭１１，１２の暫定的な位置決め（だいたいの位置決め）が完了しているが、バンド状本体２は緩めに締め込んであるので、上杭１１の挿入完了時点で目違い（上杭１１と下杭１２の端面のずれ）が残っている可能性がある。そこで、この手順Ｄでは、ボルト４を更に強く締め込んで、バンド状本体２の締め付け力を大きくする。
【００３６】
バンド状本体２は、上杭下端と下杭上端に跨って両者の接合部（継ぎ目）を取り囲むように取り付けてあるので、このバンド状本体２を強く締め込むことで、その湾曲した平坦な内壁面が上下鋼管杭の接合部（継ぎ目）を強制的に圧締する。その結果、強制的な圧締作用を受けて、上杭下端側と下杭上端側の外周面が揃うように上杭下端と下杭上端が同心位置に向かって位置ずれし、最終的に両者の周面が揃って目違いが解消されることになる。
【００３７】
したがって、突出部９によって高さ方向の位置合わせが行われ、また、締め込んだバンド状本体２によって水平方向の位置合わせが行われるので、上下の鋼管杭１１，１２を簡単に設計位置に位置決めすることができる。なお、テーパーが付いた突出部９によって所定のルート間隔（つまり上下方向の所定サイズの離隔）を確保する効果が達成され、また、バンド状本体２の締め込みによって目違いを解消する効果が達成される。
【００３８】
＜手順Ｅ＞  仮付け溶接
上記手順で目違いを解消したら、続いて、鋼材溶接用治具１を取り付けた状態のままで、上杭下端と下杭上端を仮付け溶接する。この仮付け溶接では、図６に示すように、窓７を介して溶接棒などを挿し込む。上下鋼管杭１１，１２の接合部（継ぎ目）は、窓７から露出しているので、溶接用治具１を取り付けた状態のままで、上杭１１と下杭１２を仮付け溶接することができる。
【００３９】
なお、手順Ｅにおいて、上杭下端の開先面１５は、突出部９のテーパー面９１に乗っているので（つまり、上杭下端と下杭上端とは突き当たっていないので）、この仮付け溶接では設計どおりのルート間隔が確保される。
【００４０】
＜手順Ｆ＞  本溶接
上記手順で仮付け溶接が完了したら、前述した手順Ｂとは逆の手順で、鋼管杭１１，１２から鋼材溶接用治具１を取り外す。なお、この時点で既に仮付け溶接が完了しているので、鋼材溶接用治具１を取り外しても、目違いを招くことはない。また、上杭下端と下杭上端との間には、所定の隙間（ここに突出部９が嵌合していた）が確保されているとともに、仮付け溶接によってこの状態が維持されているので、本溶接においても、設計どおりのルート間隔が確保される。
【００４１】
そして、鋼材溶接用治具１を取り外した後、上杭１１と下杭１２の接合部周囲を本溶接して、鋼管杭の溶接が完了する。
【００４２】
上述した手順Ａ〜Ｆを含む溶接方法によれば、縦継ぎする鋼管杭１１，１２の目違い解消や位置合わせのために、エレクションピースなどのガイドプレートを溶接する必要が無いので、従来必要だった溶接の手間が省ける。
また、縦継ぎする鋼管杭１１，１２に（溶接時の熱に起因する）変質を招くことがない。
また、従来より短時間で縦継ぎ溶接を完了することができる。
また、バンド状本体２により上下鋼管杭１１，１２を確りと固定し、その状態で接合部を仮溶接するので、仮溶接およびその後の本溶接の際に、上下鋼管杭に目違いが生じることが無い。
【００４３】
（鋼材溶接用治具を用いた円周溶接方法の第２実施形態）
次に、図７Ａ〜図７Ｉに示す手順図に基づいて、鋼管杭の円周溶接方法の第２実施形態について説明する。
【００４４】
図７Ａ〜図７Ｉに示す手順のうち、図７Ａ〜図７Ｅは、それぞれ、図３Ａ〜図３Ｅに示す手順と同様である。すなわち、第２実施形態の溶接方法は、仮付け溶接までは、前述した第１実施形態の手順と同様である。したがって、図７Ａ〜図７Ｅに関する手順の詳細については、前述した実施形態の＜手順Ａ＞〜＜手順Ｅ＞を参照されたい。
【００４５】
以下、図７Ｆ〜図Ｉに示す手順について詳細に説明する。なお、以下説明する手順Ｆ〜Ｉは、それぞれ、図７Ｆ〜図７Ｉに対応している。また、以下の実施形態では、鋼材の代表例として鋼管杭を例示する。
【００４６】
＜手順Ｆ＞  バンド状スペーサの取り付け
図７Ｅに示す手順での仮付け溶接が完了したら、続いて、鋼材溶接用治具１を鋼管杭１１，１２の接合部（継ぎ目部分）に固定したままで、その溶接用治具１の真上にバンド状スペーサ４１を載せてこれを固定する。このバンド状スペーサ４１（位置決め部材）は、後述するガイドレールを所定の設計位置に位置決めするための位置決め部材である。バンド状スペーサ４１は、鋼材やゴム材などからなる２つの半割れ部分と、この半割れ部分をリング状に連結するとともに縮径方向に締め込むボルト４３を有している。
【００４７】
このバンド状スペーサ４１を取り付ける際には、各半割れ部分を鋼材溶接用治具１の上端部の真上に載置するとともに、上側鋼管杭１１の外周面に宛がう。続いて、複数のボルト４３で２つの半割れ部分を連結するとともに、各ボルト４３を締め込んでバンド状スペーサ４１を上側鋼管杭１１の外周面に固定する。
【００４８】
＜手順Ｇ＞  ガイドレールの取り付け
続いて、手順Ｆで固定したバンド状スペーサ４１の真上に、溶接装置ガイド用のガイドレール５１（走行レール）を取り付ける。このガイドレール５１は、上側鋼管杭１１の外周面を取り巻くように形成された帯状部分と、この帯状部分を鋼管杭に対し固定するためのボルト５３を有している。
【００４９】
このように、固定された鋼材溶接用治具１を基準位置としてガイドレール５１を取り付けることで、鋼管杭１１，１２の接合部（継ぎ目）とガイドレール５１との間の距離を、設計どおりの離隔距離に保持することができる。
【００５０】
＜手順Ｈ＞  鋼材溶接用治具とバンド状スペーサの取外し
手順Ｇでガイドレール５１を上側鋼管杭１１に対し確りと固定したら、続いて、鋼材溶接用治具１とバンド状スペーサ４１を取り外す。なお、この時点で既に仮付け溶接が完了しているので、鋼材溶接用治具１を取り外しても、鋼管杭１１，１２の間に目違いを招くことはない。また、ガイドレール５１は確りと固定されているので、バンド状スペーサ４１を取り外しても、このガイドレール５１に位置ズレを招くことはない。
【００５１】
＜手順Ｉ＞  溶接装置の取り付け及びこれを利用した円周溶接
続いて、手順Ｈで取り付けたガイドレール５１に、溶接装置６１をセットする。図７Ｉに示す溶接装置６１は、一例として、ガイドレール５１に沿って走行可能な溶接台車６３と、この溶接台車６３によって所定高さ位置で支えられた溶接トーチ６５とを具備している。
【００５２】
図７Ｉに示すように、溶接台車６３と溶接トーチ６５を取り付けたら、溶接装置６１の高さ、離れ、角度の調整を行う。続いて、電気を入れず、溶接台車６３を動かし、溶接トーチ６５の通りを確認する。
【００５３】
以上の準備を完了したら、ガイドレール５１に沿って走行可能な溶接装置６１を使って、鋼管杭１１，１２の接合部（継ぎ目）に対して本溶接を行う。この本溶接において、溶接トーチ６５の先端部は、ぶれることなく鋼管杭１１，１２の接合部（継ぎ目）に沿って移動するので、ズレることなく該接合部を正確に本溶接することができる。
【００５４】
なお、本実施形態では、図７Ｇに示すように、バンド状スペーサ４１を利用して、ガイドレール５１を設計位置に位置決めしていたが、このようなバンド状スペーサを省くことも可能である。つまり、図８に示すように、鋼材溶接用治具１自体を、ガイドレール用の位置決め手段として利用し、この鋼材溶接用治具１の真上に載せるようにして、ガイドレール５１が設計位置にくるように取り付けることも可能である。
ただし、溶接装置の形状や寸法などの仕様が変更した場合には、鋼材溶接用治具１の真上にガイドレール５１を載せると、ガイドレールを設計高さ位置に位置決めできなくなる虞があるが、そのような場合には、前述したバンド状スペーサのような位置決め部材を利用することで、ガイドレール５１を簡単に設計どおりの高さ位置に取り付けることができる。
【００５５】
以上、鋼材の溶接用治具および溶接方法の実施形態について説明したが、上述した実施形態は一例であって、本発明の技術的範囲はこれに限定されない。例えば、上記実施形態では、鋼材の一例として鋼管類（鋼管杭）を挙げているが、鋼管矢板やケーシングパイプなどの円形断面の鋼管類にも、本発明の溶接用治具および溶接方法を適用することが可能である。また、上記鋼管類に限らず、角形鋼管、Ｈ形鋼などといった各種鋼材を、継ぎ足す際（接合する際）の溶接にも適用することができる。また、上述の実施形態では一例として第一および第二の鋼材が同一断面である場合を挙げているが、２つの鋼材が異なる断面を有する場合でも、組み合わせる鋼材専用の溶接用治具を用いればよく、また、必要な場合は、溶接用治具のバンド状本体の内側に適宜スペーサを別途挿入固定するなどして、２つの鋼材の接合位置を確保することができる。
【符号の説明】
【００５６】
１      鋼材の溶接用治具（位置決め装置）
２      略バンド状の本体（バンド状本体）
４      ボルト（締め込み手段）
５      ナット（締め込み手段）
６      アイボルト
７      窓（開口部）
８      ヒンジ
９      突出部
１１    上杭（鋼管類／第一の鋼材）
１２    下杭（鋼管類／第二の鋼材）
１３    裏当てリング（裏当て部材）
１５    開先面
２１    半割れ部材
２４    ブラケット（フランジ）
２６    ヒンジプレート
３１    半割れ部材
３４    ブラケット（フランジ）
３６    ヒンジプレート
４１    バンド状スペーサ（位置決め部材／位置決めバンド／仮受けバンド）
４３    ボルト
５１    ガイドレール（ガイド部材／走行レール）
５３    ボルト
６１    溶接装置
６３    溶接台車
６５    溶接トーチ
９１    テーパー面
【図１】
2018164944.tif 000003
【図２】
2018164944.tif 000004
【図３Ａ】
2018164944.tif 000005
【図３Ｂ】
2018164944.tif 000006
【図３Ｃ】
2018164944.tif 000007
【図３Ｄ】
2018164944.tif 000008
【図３Ｅ】
2018164944.tif 000009
【図３Ｆ】
2018164944.tif 000010
【図４】
2018164944.tif 000011
【図５】
2018164944.tif 000012
【図６】
2018164944.tif 000013
【図７Ａ】
2018164944.tif 000014
【図７Ｂ】
2018164944.tif 000015
【図７Ｃ】
2018164944.tif 000016
【図７Ｄ】
2018164944.tif 000017
【図７Ｅ】
2018164944.tif 000018
【図７Ｆ】
2018164944.tif 000019
【図７Ｇ】
2018164944.tif 000020
【図７Ｈ】
2018164944.tif 000021
【図７Ｉ】
2018164944.tif 000022
【図８】
2018164944.tif 000023